(57)【特許請求の範囲】
【請求項１】
軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、
この軒先取付部には、軒樋支持腕を挟んだ両側部に表面から裏面に貫通された取付孔が設けられ、この取付孔は、取付孔の上側縁がほぼ水平で、下側縁が軒樋支持腕側から外側に行くに従って、下向きに傾斜した横長孔になされていることを特徴とする軒樋吊具。
【発明の詳細な説明】
【０００１】
【発明の属する技術分野】
本発明は、軒先に取着固定されて軒樋を保持する軒樋吊具に関する。
【０００２】
【従来の技術】
従来、軒樋吊具としては、実開平５−１２５２５号公報に記載あるように、軒先取付部に釘用の比較的小口径の貫通された取付孔とネジ用の比較的大口径の貫通された取付孔とが一部分重ね合わさって穿設されているものがある。
この軒樋吊具は、軒先取付部に釘用の小口径の取付孔とネジ用の大口径の取付孔とが一部分重ね合わさって穿設されているので、釘とネジとの両方が使用できる。
従って、釘を使用する場合、取付孔をネジが使用できるように拡径したり、ネジが使用できる取付孔を別途穿孔する等余分な加工する必要をなくし、取付面に応じて、釘、或いは、ネジのいずれの取付具にも対応できる。
【０００３】
【発明が解決しようとする課題】
しかしながら、上記の実開平５−１２５２５号公報に記載の軒樋吊具では、軒先取付部に比較的小口径の取付孔と比較的大口径の取付孔とが開けられており、基本的に、２種類の太さの取付具に対応できるだけである。
一方、取付具にも種々の太さのものがあり、軒樋吊具を軒先に取り付ける時、取付面に応じて、最適の太さの取付具を使用することが好ましい。
従って、取付孔の対応できる太さが２種類だけでは不便である。
【０００４】
本発明の目的は、上記問題に着目してなされたもので、軒先取付部に、いずれの太さの取付具にも対応できる取付孔を持ち、取付が簡単にできる軒樋吊具を提供するものである。
【０００５】
【課題を解決するための手段】
本発明は上記の目的を達成するためになされたもので、軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、
この軒先取付部には、軒樋支持腕を挟んだ両側部に表面から裏面に貫通された取付孔が設けられ、この取付孔は、取付孔の上側縁がほぼ水平で、下側縁が軒樋支持腕側から外側に行くに従って、下向きに傾斜した横長孔になされている。
【０００６】
本発明の軒樋吊具の材質は、合成樹脂、金属が使用されるが、軽量、防錆の点で合成樹脂がよく、合成樹脂の中でも、可撓性の点で、ポリカ−ボネ−ト樹脂が好ましい。
本発明の軒樋吊具は射出成形法で製造すると、屋外側耳保持部、軒樋支持腕及び軒先取付部が一体成形できるので、好ましい。
【０００７】
（作用）
本発明の軒樋吊具では、軒先取付部に、軒樋支持腕を挟んだ両側部に表面から裏面に貫通された取付孔が設けられ、この貫通された取付孔は、取付孔の上側縁がほぼ水平で、下側縁が軒樋支持腕から外側に行くに従って、下向きに傾斜した横長孔になされているから、取付孔に取付具を差し込み、できるだけ軒樋支持腕方向に移動させて、取付具を鼻隠し板に打ち込む。
すると、図２に示すように、取付具４ａ、４ｂ、４ｃ、４ｄの太さの違っても取付具４ａ、４ｂ、４ｃ、４ｄの中心軸の位置はかわるが、軒樋吊具の取付位置の高さを変えずに、軒樋吊具を鼻隠し板に取り付けることができる。
【０００８】
又、この貫通された取付孔の形状が、上側縁がほぼ水平で、下側縁が軒樋支持腕方向側から外側に行くに従って、下向きに傾斜した横長孔になっているから、小口径から大口径にわたって、種々異なった太さの取付具を使用することができる。
【０００９】
【発明の実施の形態】
本発明の一実施例を図１及び図２に基づいて説明する。
図１の（イ）は軒樋吊具の斜視説明図、（ロ）は（イ）の矢視説明図、図２は太さの違った取付具（釘）を取付孔に差し込んだ状態を示す説明図である。
【００１０】
図１に示すように、Ａはポリカ−ボネ−ト樹脂製の軒樋支持具であり、この軒樋支持具Ａは軒先取付部１と軒樋支持腕２とからなり、射出成形法で一体に作られている。
【００１１】
軒先取付部１は矩形状の板体で、軒樋支持腕２を挟んだ両側に左右１個づつ表面から裏面に貫通された取付孔１１と、中央部下端部に１個の丸形取付孔１２が設けられている。
取付孔１１の形状は上側縁がほぼ水平で、下側縁が内側から外側に行くに従って、下向きに傾斜された横長孔になっている。
【００１２】
軒樋支持腕２は棒状体で、軒先取付部１のほぼ中央上端部より、屋外側に向けて突出されている。
そして、軒樋支持腕２の屋外側に屋外側耳保持部２１と屋内側に屋内側耳保持部２２が設けられている。
屋外側耳保持部２１は、軒樋支持腕２の先端が上向きに突出されたものである。
屋内側耳保持部２２は、軒樋支持腕２から屋内側に突出されたバネ片１３と、軒先取付部１から屋外側に突出された耳受部２３とからなり、このバネ片１３と耳受部２３との間隔は軒樋の屋内側耳部の大きさより若干小さくされており、突出された耳受部２３で軒樋の屋内側耳部の下部を支持し、突出されたバネ片１３で押圧するようになされている。
【００１３】
次に、軒樋吊具Ａの施工方法及び作用について説明する。
軒先に、軒樋吊具Ａの取付位置をきめる。
次に、軒先取付部１の一方の取付孔１１に取付具（釘）４を差し込んで、取付孔１１の上側縁のほぼ水平部分に取付具（釘）４の外周上面を当接させながら、取付具（釘）４を鼻隠し板に打ち込む。
次に、軒先取付部１の他方の取付孔１１に取付具（釘）４を差し込んで、上記と同様に、取付具（釘）４を鼻隠し板に打ち込む。
【００１４】
すると、図２に示すように、取付具（釘）４ａ、４ｂ、４ｃ、４ｄの太さの違ってもそれぞれの取付具（釘）４ａ、４ｂ、４ｃ、４ｄの外周上面を取付孔１１の上側縁に当接させながら打ち込むことによって、取付具（釘）４ａ、４ｂ、４ｃ、４ｄの中心軸の位置はかわるが、軒樋吊具Ａの取付位置の高さを変えずに、軒樋吊具Ａを鼻隠し板に取り付けることができる。
【００１５】
又、この貫通された取付孔１１の形状が、上側縁がほぼ水平になされ、下側縁が内側から外側に行くに従って、下向きに傾斜された楔状になっているから、限られた太さの取付具（釘）４だけではなく、小口径から大口径にわたって、種々異なった太さの取付具（釘）４ａ、４ｂ、４ｃ、４ｄを使用することができる。
【００１６】
次に、軒先取付部１の中央部下端部の丸形取付孔１２に取付具（釘）４を差し込んで、取付具（釘）４を鼻隠し板に打ち込んで、軒樋吊具Ａを軒先に固定する。
【００１７】
次に、この軒先取付部１のほぼ中央上端部より、屋外側に向けて突出している軒樋支持腕２の屋外側耳保持部２１に、軒樋の屋外側耳部（図示省略）を嵌め込む。
次に、軒樋支持腕２の屋内側耳保持部２２に、軒樋の屋内側耳部（図示省略）を差し込む。
【００１８】
以上、本発明実施例を図面に基づいて説明してきたが、具体的な構成はこの実施例の限られるものではなく本発明の要旨を逸脱しない範囲の設計変更等があっても本発明に含まれる。
【００１９】
【発明の効果】
以上、説明してきたように、本発明の軒樋支持具では、軒先取付部に、軒樋支持腕を挟んだ両側部に表面から裏面に貫通された取付孔が設けられ、この貫通された取付孔は、取付孔の上側縁がほぼ水平で、下側縁が軒樋支持腕から外側に行くに従って、下向きに傾斜した横長孔になされているから、取付孔に取付具を差し込み、できるだけ軒樋支持腕方向に移動させて、取付具を鼻隠し板に打ち込む。
すると、図２に示すように、取付具４ａ、４ｂ、４ｃ、４ｄの太さの違っても取付具４ａ、４ｂ、４ｃ、４ｄの中心軸の位置はかわるが、軒樋吊具の取付位置の高さを変えずに、軒樋吊具を鼻隠し板に取り付けることができ、簡便なものである。
【００２０】
又、この貫通された取付孔の形状が、上側縁がほぼ水平で、下側縁が軒樋支持腕方向側から外側に行くに従って、下向きに傾斜した横長孔になっているから、小口径から大口径にわたって、種々異なった太さの取付具を使用することができ、汎用性があり、コスト低減になる。
【００２１】
【図面の簡単な説明】
【図１】本発明の一実施例を示すもので、（イ）は軒樋吊具の斜視説明図、（ロ）は（イ）の矢視説明図である。
【図２】太さの違った釘を取付孔に差し込んだ状態を示す説明図である。
【符号の説明】
Ａ                          軒樋吊具
１                          軒先取付部
１１                        取付孔
１２                        丸形取付孔
１３                        バネ片
２                          軒樋支持腕
２１                        屋外側耳保持部
２２                        屋内側耳保持部
２３                        耳受部
４、４ａ、４ｂ、４ｃ、４ｄ  取付具（釘）
【図１】
0003673322.tif 000002
【図２】
0003673322.tif 000003